(57)【要約】【課題】ロングブーツのスライドファスナを容易に閉めることができるようにする。【解決手段】ロングブーツ１００のスライドファスナ２００を閉める際、スライダ２２０の引手２２２の孔部２２３にブーツ着用補助具（以下、補助具と称する）１を取り付ける。補助具１は、着用者の指を貫入させて引っ掛け可能な引張部２と、引張部２の支持部２ｂと共に輪形状を成すように引張部２と一体に形成された第１腕部３ａ及び第２腕部３ｂを有する引掛部３とを有している。引手２２２の孔部２２３に第１腕部３ａを貫入させて引手２２２に引掛部３を引っ掛け、引張部２に引っ掛けた指により引張部２に上方への力を加えることにより、引手２２２にスライダ２２０をスライドさせる力を加えることができる。引手２２２が小さくても、容易にスライドファスナ２００を閉めてロングブーツ１００を着用することができる。【選択図】図３
2009089750.tif 000002
【特許請求の範囲】
【請求項１】
スライダの引手に孔部が設けられているスライドファスナが脚部に配されたロングブーツを着用する際に使用可能なブーツ着用補助具であって、
前記孔部に貫入可能な引掛部と、
ユーザにより力が加えられる引張部とを有し、
前記引掛部を前記孔部に貫入させ、前記引手に引っ掛けた状態で、前記引張部に力を加えることにより、ユーザが、当該ブーツ着用補助具を介して引手を引っ張り、前記スライダをスライドさせることができるように構成されていることを特徴とするブーツ着用補助具。
【請求項２】
前記引張部は、略輪形状に形成されていることを特徴とする請求項１記載のブーツ着用補助具。
【請求項３】
前記引張部は、ユーザが指を引っ掛け可能に形成されていることを特徴とする請求項２記載のブーツ着用補助具。
【請求項４】
前記引掛部は、前記引張部とそれぞれ一体に形成された第１腕部及び第２腕部を有しており、
前記第１腕部及び第２腕部は、それぞれの先端近傍部が互いに近接し、前記引張部の一部と共に略輪形状を成すように構成されていることを特徴とする請求項１乃至請求項３のいずれか一項に記載のブーツ着用補助具。
【請求項５】
前記引張部は、全体として略同一平面上に位置するように形成されており、
前記引掛部は、その先端部が前記引張部が位置する平面から離れた位置に突出するように、前記引張部と一体に、前記引張部から延設されて形成されていることを特徴とする請求項３記載のブーツ着用補助具。
【請求項６】
携帯機器に結着して用いられる提げ紐であって、
請求項１乃至請求項５のいずれか一項に記載のブーツ着用補助具がその一部に取り付けられていることを特徴とする提げ紐。
【発明の詳細な説明】
【技術分野】
【０００１】
本発明は、引手に孔部が設けられているスライドファスナ付きのロングブーツを着用する際に利用可能なブーツ着用補助具及びそれが取り付けられた提げ紐に関する。
【背景技術】
【０００２】
脚部にスライドファスナ（以下、ファスナと称する）が設けられたロングブーツ（以下、ブーツと称する）は、ファスナを開状態として足をブーツ内に納めた後、足もとにあるファスナの引手を上方に引っ張りスライダをスライドさせることによりファスナを閉状態にし、容易に着用することができる。このようなブーツにおいて、ファスナは、ブーツのデザイン上の都合等から、外部から目立たないようにして配置され、スライダの引手も小さめとされていることが多い。
【０００３】
ところで、ブーツの着用者は、足もとにあるファスナの引手を引っ張ってブーツを着用しなければならないため、ブーツを着用しにくいという問題がある。特に、引手が小さい場合、ユーザ（着用者）の爪が長い場合、また、着用者がいわゆるスカルプチュアやつけ爪を施している場合等には、着用者は、引手をしっかりと摘むことができず、スライダをスライドさせる力を加えにくい。このようなブーツのファスナについての問題は、例えば、着用者の体型や、浮腫等の発生により、着用者の脛部の周囲長が、ブーツ内部の脛部の周囲長と同じである場合やそれより長い場合に特に顕著である。着用者の脛部の周囲長が大きい場合には、ファスナを閉めるためにスライダの引手を引っ張る力を通常よりもより強くする必要があり、ファスナを完全に閉めることができなかったり、着用者の爪に負担がかかってしまったりする。
【０００４】
ここで、特許文献１には、スライダの引手に、テープ部と拡幅部とを有し引手に着脱可能な引手延長具を取付け、引手を掴み易くすることが開示されている。しかしながら、この引手延長具は、専ら引手に取り付けたままにして用いられるものであり、特に着用状態の外観が重視されるブーツに取り付けるものとしてはふさわしくない場合がある。また、引手延長具を、ファスナを閉めるときのみに引手に着脱するのは非常に手間がかかる。
【特許文献１】特開２００３‐９９１４号公報
【発明の開示】
【発明が解決しようとする課題】
【０００５】
本発明は、上記問題点を鑑みてなされたものであり、容易にロングブーツのスライドファスナを閉めることができるようにし、ロングブーツを容易に着用できるようにするブーツ着用補助具及びそれが取り付けられた提げ紐を提供することを目的とする。
【課題を解決するための手段】
【０００６】
上記目的を達成するため、請求項１の発明は、スライダの引手に孔部が設けられているスライドファスナが脚部に配されたロングブーツを着用する際に使用可能なブーツ着用補助具であって、前記孔部に貫入可能な引掛部と、ユーザにより力が加えられる引張部とを有し、前記引掛部を前記孔部に貫入させ、前記引手に引っ掛けた状態で、前記引張部に力を加えることにより、ユーザが、当該ブーツ着用補助具を介して引手を引っ張り、前記スライダをスライドさせることができるように構成されているものである。
【０００７】
請求項２の発明は、請求項１の発明において、前記引張部は、略輪形状に形成されているものである。
【０００８】
請求項３の発明は、請求項２の発明において、前記引張部は、ユーザが指を引っ掛け可能に形成されているものである。
【０００９】
請求項４の発明は、請求項１乃至請求項３のいずれか一項の発明において、前記引掛部は、前記引張部とそれぞれ一体に形成された第１腕部及び第２腕部を有しており、前記第１腕部及び第２腕部は、それぞれの先端近傍部が互いに近接し、前記引張部の一部と共に略輪形状を成すように構成されているものである。
【００１０】
請求項５の発明は、請求項３の発明において、前記引張部は、全体として略同一平面上に位置するように形成されており、前記引掛部は、その先端部が前記引張部が位置する平面から離れた位置に突出するように、前記引張部と一体に、前記引張部から延設されて形成されているものである。
【００１１】
請求項６の発明は、携帯機器に結着して用いられる提げ紐であって、請求項１乃至請求項５のいずれか一項に記載のブーツ着用補助具がその一部に取り付けられているものである。
【発明の効果】
【００１２】
請求項１の発明によれば、ユーザは、ブーツ着用補助具を引手に引っ掛けて、ブーツ着用補助具を介して引手を引っ張ることができるので、引手が小型であっても、スライダをスライドさせる力を容易に加えることができ、また、ユーザの爪に負担が掛かることもない。従って、素手で引手を掴んだ場合にはロングブーツのスライドファスナを閉めにくい場合であっても、ブーツ着用補助具を用いて容易にスライドファスナを閉めることができるようになり、ロングブーツを容易に着用することができる。ブーツ着用補助具は、ロングブーツを着用した後には引手から容易に抜脱することができるので、着用状態のロングブーツの外観には何ら影響を及ぼすことがない。ブーツ着用補助具は、小型に形成可能であるので、容易に携帯することが可能であり、ロングブーツを着用する際にはどこでも便利に使用することができる。
【００１３】
請求項２の発明によれば、引張部の輪形状の部分に、例えば紐等を結着し、それを用いて引張部に力を加えることができるので、より容易にスライドファスナのスライダをスライドさせる力を加えることができる。
【００１４】
請求項３の発明によれば、ユーザが引張部に指を引っ掛けて引張部に力を加えることができるので、ブーツ着用補助具を用いてさらに容易にスライドファスナを閉めることができ、ロングブーツをさらに容易に着用することができる。
【００１５】
請求項４の発明によれば、引手の孔部に第１腕部又は第２腕部を貫入させることにより、引掛部の略輪形状を引手の孔部に貫通させた状態で、ブーツ着用補助具を引手に引っ掛けることができる。従って、ブーツ着用時に、ブーツ着用補助具を引手に引っ掛けたままで保持することができるので、さらに容易に用いることができる。引張部と引掛部とは一体に形成されているので、ブーツ着用補助具の製造コストを低減することができる。
【００１６】
請求項５の発明によれば、引掛部を引手の孔部に容易に貫入させることができるので、ブーツ着用補助具を引手に容易に引っ掛けることができ、さらに容易にブーツ着用補助具を用いてスライドファスナを閉めることができる。引張部と引手部とは一体に形成されているので、ブーツ着用補助具の製造コストを低減することができる。
【００１７】
請求項６の発明によれば、ユーザは、提げ紐の一部に取り付けられているブーツ着用補助具を用いることにより、スライドファスナを容易に閉めることができる。提げ紐は携帯機器に結着して用いることができるので、ブーツ着用補助具の紛失を防止することができる。
【発明を実施するための最良の形態】
【００１８】
始めに、本発明に係るブーツ着用補助具（以下、補助具と称する）を用いることができるスライドファスナ（以下、ファスナと称する）が配されたロングブーツ（以下、ブーツと称する）について、図１を参照しつつ説明する。
【００１９】
ブーツ１００は、着用者（ユーザ）の足先、かかと等を覆う部位である足部１１０と、その足部１１０の上部で着用者の例えば膝下あたりまでを覆う脚部１２０とを有している。脚部１２０には、脚部１２０に上下方向に配され脚部１２０を開閉可能にするファスナ２００が設けられている。ファスナ２００は、互いに噛み合う２列のエレメント２１０と、エレメント２１０上でスライドすることにより２列のエレメント２１０を互いに噛み合わせるスライダ胴体２２１及びスライダ胴体２２１に取り付けられた引手２２２等で構成されるスライダ２２０等を有している。引手２２２の先端部には、引手２２２を貫通するように孔部２２３が形成されている。着用者は、足部１１０に足を収めた状態で、引手２２２を摘んでスライダ２２０を上方にスライドさせ、脚部１２０のファスナ２００を閉状態とすることにより、ブーツ１００を着用することができる。
【００２０】
次に、本発明の第１実施形態について図面を参照して説明する。図２（ａ）、（ｂ）、（ｃ）は、本実施形態に係るブーツ着用補助具（以下、補助具と称する）の一例を示す。補助具１は、例えば、鉄等を用いて、製造コストの低い鋳造等の方法により一体に成形されている。補助具１は、略Ｄ字形状の引張部２と、引張部２に接続され略輪形状を成すように形成された引掛部３とを有している。この補助具１では、引張部２及び引掛部３は、ファスナ２００のスライダ２２０の引手２２２の孔部２２３に貫入可能な程度の大きさの断面を有する線状に構成されている。図に示すように、引張部２及び引掛部３は、その大部分が略同一平面上に位置するように構成されており、補助具１は、平面視で略楕円形の外形を有するように形成されている。
【００２１】
引張部２は、略半円形状の湾曲部２ａと、湾曲部２ａの両端に接続され湾曲部２ａより曲率が小さい支持部２ｂとを有し、湾曲部２ａ及び支持部２ｂで囲まれた部位が指掛孔２ｃとなる略輪形状に形成されている。本実施形態において、引張部２は、指掛孔２ｃの内部に着用者（ユーザ）の指を貫入させ、その指を湾曲部２ａに引っ掛けることができるように形成されている。
【００２２】
引掛部３は、引張部２のうち湾曲部２ａと支持部２ｂとが互いに接続する２箇所からそれぞれ延設された第１腕部３ａ及び第２腕部３ｂを有している。図２（ｂ）に示すように、第１腕部３ａは、引張部２から、先端部３ｃが第２腕部３ｂ側に近づくように略Ｊ字形状に延設されており、第２腕部３ｂは、第１腕部３ａよりも短い長さで、先端部３ｄが第１腕部３ａ側に近づくように延設されている。引掛部３は、第１腕部３ａの先端部３ｃの近傍部位が第２腕部３ｂの先端部３ｄの近傍部位に近接するように形成されている。引掛部３は、第１腕部３ａと、第２腕部３ｂと、引張部２の支持部２ｂとで、略輪形状を成すように構成されている。本実施形態において、第１腕部３ａの先端部３ｃの近傍部位は、第２腕部３ｂよりも、上記略輪形状の部分の中心側（内側）に位置している。図２（ｃ）に示すように、第１腕部３ａの先端部３ｃ及び第２腕部３ｂの先端部３ｄは、それぞれ、互いに引張部２及び引掛部３の大部分が位置する平面よりも上方、下方に僅かに突出するように構成されている。第１腕部３ａは、第２腕部３ｂよりも長く形成されており、図２（ｂ）に示すように、互いの先端部３ｃ，３ｄの近傍部位同士が近接する部位は、補助具１のオーバル形左右中央（図に一点鎖線ＣＬで示す）よりも第２腕部３ｂ側にずれて位置するように構成されている。すなわち、第１腕部３ａ及び第２腕部３ｂの先端部３ｃ，３ｄの近傍部位同士が近接する部位は、引掛部３のうち引張部２から最も離れた部位から、若干ずれた場所に位置し、後述のようにファスナ２００を閉める際に、引手２２２は、第１腕部３ａに引っ掛かるように構成されている。
【００２３】
着用者は、ブーツ１００の着用時に上記の補助具１を用いることができる。図３（ａ）、（ｂ）を参照しつつ、補助具１を用いて行うファスナ２００を閉める方法の一例について説明する。
【００２４】
着用者は、ファスナ２００が開いている状態で、ブーツ１００に足を収めると、先ず、引手２２２の孔部２２３に、第１腕部３ａを、先端部３ｃから貫入させる。このとき、先端部３ｃは上記のように引張部２等が位置する平面から上方に僅かに突出しているため、着用者は、先端部３ｃが孔部２２３に貫入するように補助具１を摘む等して案内することを容易に行うことができる。孔部２２３に第１腕部３ａを貫入させると、図３（ａ）に示すように、補助具１を、引手２２２に引っ掛けた状態のまま保持することができる。なお、このとき、第１腕部３ａの先端部３ｃの近傍部位と第２腕部３ｂとは互いに近接しているが、第１腕部３ａ及び第２腕部３ｂをそれぞれ若干量弾性変形させつつ、孔部２２３に第１腕部３ａを先端部３ｃから貫入させればよい。
【００２５】
次に、着用者は、補助具１を引手２２２に引っ掛けた状態で、指を指掛孔２ｃに通し、湾曲部２ａに引っ掛ける。そして、図３（ｂ）に矢印Ｆで示すように、指を上方に移動させて引張部２に力を加え、補助具１を介して引手２２２を上方に引っ張る。引手２２２が補助具１を介して上方に引っ張られるので、スライダ胴体２２１に上方にスライドさせる力が加えられ、スライダ２２０が上方に移動する。このように、着用者は、指をかけた引張部２を上方に引っ張ることにより、スライダ２２０を上方にスライドさせてファスナ２００を閉め、ブーツ１００を着用することができる。ファスナ２００を閉めた後、着用者は、引っ掛ける際とは逆に、引手２２２から第１腕部３ａを抜き、引手２２２から補助具１を外し、ブーツ１００の他方についても同様に、その補助具１を用いて着用することができる。
【００２６】
このように、着用者は、引張部２に指を引っ掛けて力を加え、引手２２２に引っ掛けた補助具１を介して引手２２２を引っ張ることができるので、引手２２２が小型であっても、スライダ２２０をスライドさせる力を容易に加えることができ、また、着用者の爪に負担が掛かることもない。従って、素手で引手２２２を掴んだ場合にはブーツ１００のファスナ２００を閉めにくい場合であっても、補助具１を用いて容易にファスナ２００を閉めることができるようになり、ブーツ１００を容易に着用することができる。引掛部３は略輪形状であるので、引掛部３を孔部２２３に貫通させた状態で、補助具１を引手２２２に引っ掛けたままで容易に保持することができる。従って、補助具１をさらに容易に用いて、ブーツ１００を着用することができる。補助具１は、ブーツ１００を着用した後には引手２２２から容易に抜脱することができるので、着用状態のブーツ１００の外観には何ら影響を及ぼすことがない。補助具１は、小型に形成されているので、着用者は容易に補助具１を携帯することができ、ブーツ１００を着用する際にはどこでも便利に補助具１を使用することができる。
【００２７】
また、第１腕部３ａ及び第２腕部３ｂの先端部３ｃ，３ｄの近傍部位同士が近接する部位は、第２腕部３ｂ側にずれて位置しており、第１腕部３ａの先端部３ｃの近傍部位は、第２腕部３ｂよりも内側に位置しているので、図３（ｂ）に示すように第１腕部３ａに引手２２２が引っ掛けられた状態で引張部２に上方への力が加えられたとき、第１腕部３ａが、先端部３ｃが下方に変位するように変形しても、その第１腕部３ａの先端部３ｃの近傍部位が第２腕部３ｂに当接し、第１腕部３ａがそれ以上変形しにくいように第２腕部３ｂに支えられる。従って、ファスナ２００を閉めるためにより強い力が必要な場合であっても、引張部２に力が加えられたときに第１腕部３ａが大きく変形しにくく、確実にファスナ２００を閉めることができる。さらにまた、補助具１は、全体の中央部に梁状に接続された支持部２ｂを有しているので、引手２２２を引くために引張部２に力が加えられても、支持部２ｂが無い場合と比較して補助具１の各部が変形しにくい。このように、補助具１の剛性が高いので、着用者は、ファスナ２００を閉める際の感触をしっかりと感じることができ、ファスナ２００を閉める力をより確実に加えることができる。
【００２８】
なお、本実施形態において、例えば孔部２２３の大きさが比較的大きいとき等には、第２腕部３ｂをその先端部３ｄから孔部２２３に貫通させて引手２２２に補助具１を引っ掛けてもよい。その場合、例えば、第２腕部３ｂを貫通させたままで、孔部２２３に第２腕部３ｂと共に第１腕部３ａをその先端部３ｃから貫通させ、図３（ａ）に示すように第１腕部３ａに引手２２２が引っ掛かる状態にすればよい。
【００２９】
図４は、本発明の第２実施形態に係る補助具を示す。以下に説明する各実施形態において、上述の実施形態と同様に構成されている部位には同一の符号を付し、上述の実施形態と相違する部分についてのみ説明する。補助具１１は、例えば、引手２２２の孔部２２３に貫入可能な太さの鋼線部材を略楕円環状に曲げて略輪形状に構成されており、第１実施形態の補助具１の支持部２ｂに相当する部位を有していない点で第１実施形態と相違する。第２実施形態において、輪形状の鋼線部材は、着用者により力が加えられる引張部１２と、引手２２２に引っ掛けられる引掛部３とを兼ねている。すなわち、鋼線部材の中央部付近には、例えば図に示すように紐５００が結着され、着用者は、この紐５００を引っ張ることにより引張部１２に力を加えることができる。また、鋼線部材の両端近傍部は、補助具１の引掛部３と略同様に、第１腕部３ａ、第２腕部３ｂを成し、それぞれの先端部３ｃ，３ｄ同士は近接するように構成されている。なお、着用者は、略輪状を成す鋼線部材の内部に指を貫入させて、鋼線部材の一部に指を引っ掛け、引張部２に力を加えるようにしてもよい。
【００３０】
第２実施形態において、ブーツ１００を着用する際には、第１実施形態と略同様の方法で補助具１１を用いることができる。すなわち、先ず、引掛部３を引手２２２の孔部２２３に貫入させて補助具１１を引手２２２に引っ掛ける。そして、着用者は、例えば、図に示すように補助具１１に紐５００が結着されている場合には、その紐５００を掴んで上方に引っ張ることにより、引張部１２にスライダ２２０をスライドさせるための力を加え、ファスナ２００を閉じることができる。なお、紐５００を用いなくても、着用者は、例えば、上述のように指を鋼線部材に引っ掛けて補助具１１を上方に引っ張り、ファスナ２００を閉じることができる。
【００３１】
このように、第２実施形態においても、第１実施形態と同様に、ブーツ１００を着用する際に用いることにより、ブーツ１００を容易に着用することができる。補助具１１は、例えば鋼線を曲げて構成されているので、製造コストが安価である。また、引張部１２は輪形状に構成されているので、図に示すように例えば引張部１２に紐５００等を結着し、その紐５００等を用いて引張部１２に力を加えることができる。従って、着用者は、より容易にファスナ２００のスライダ２２０をスライドさせる力を加えることができ、より容易にブーツ１００を着用することができる。
【００３２】
図５（ａ）、（ｂ）は、本発明の第３実施形態に係る補助具を示す。補助具２１は、第１実施形態の補助具１と比較して、引掛部２３が一本の腕部２３ａで構成されている点が相違し、略Ｄ字形状の引張部２等、その他の部分は補助具１と同様に構成されている。
【００３３】
図５（ａ）に示すように、引掛部２３の腕部２３ａは、引張部２の支持部２ｂのうち、湾曲部２ａに接続された一端部から略Ｊ字形状をなすように鉤形に延設されている。引掛部２３は、引張部２の大部分が位置する平面と同じ平面上に位置するように形成されており、補助具２１は、全体として平らな形状に形成されている。腕部２３ａの先端部２３ｃは、支持部２ｂのうち、腕部２３ａが接続された端部とは反対側の端部の近傍であって、引張部２との間に引手２２２の厚み以上の幅の空隙２３ｅを空けた位置に位置している。補助具２１は、例えば、鉄等を用いた鋳造や、曲げた鋼線部材を溶接すること等により、一体に形成されている。
【００３４】
図５（ｂ）に示すように、この補助具２１を用いてブーツ１００を着用する際には、引手２２２の孔部２２３に引掛部２３の腕部２３ａをその先端部２３ｃから貫入させ、引手２２２に補助具２１を引っ掛ける。そして、着用者は、第１実施形態と同様に引張部２に引っ掛けた指により、スライダ２２０を上方にスライドさせる力を引張部２に加える。それにより、引掛部２３が引っ掛けられた引手２２２が上方に引かれ、補助具２１を介してファスナ２００を閉め、ブーツ１００を着用することができる。
【００３５】
このように、第３実施形態においても、第１及び第２実施形態と同様に、補助具２１を用いることにより、引手２２２が小型であっても、スライダ２２０をスライドさせる力を容易に加えることができ、また、着用者の爪に負担が掛かることもなく、ブーツ１００を容易に着用することができる。第３実施形態では、引掛部２３が略Ｊ字形状であるので、引掛部２３を容易に孔部２２３に貫通させることができ、容易にブーツ１００を着用することができる。
【００３６】
図６は、本発明の第４実施形態に係る補助具を示す。補助具３１は、第３実施形態の補助具２１のように、略輪形状の引張部３２と、略Ｊ字形状の鉤形に形成された引掛部３３とを有している。補助具３１は、一本の鋼線部材を曲げて形成されている。その鋼線の一端部３２ｂを丸めるように曲げることにより、引張部３２が、着用者の指を貫入可能な程度の大きさの指掛孔３２ｃを構成する略楕円輪形状に形成されている。また、引掛部３３は、その鋼線の他端部３３ｃが引張部３２に近づく方向に丸められて、引張部３２から略Ｊ字形状に延びるように構成されている。
【００３７】
補助具３１は、第３実施形態と同様に、ブーツ１００の着用時に使用することができ、それにより、容易にファスナ２００を閉めてブーツ１００を着用することができる。補助具３１は、一本の鋼線を曲げて形成されているので、製造コストを低くすることができる。
【００３８】
図７（ａ）、（ｂ）、（ｃ）は、本発明の第５実施形態に係る補助具を示す。補助具４１は、第３実施形態の補助具２１と比較し、引掛部４３が異なる位置に設けられているものである。図に示すように、引掛部４３は、全体として、引張部２が位置する平面に略垂直に交わる平面上に、引張部２の支持部２ｂの一端部から略Ｊ字形状の腕部４３ａが延設されるように構成されており、腕部４３ａの先端部４３ｃは、引張部２が位置する平面から離れた位置に突出している。
【００３９】
補助具４１を用いてブーツ１００を着用する際には、着用者は、引掛部４３の腕部４３ａを先端部４３ｃから引手２２２の孔部２２３に貫入させ、補助具４１を引手２２２に引っ掛け、指掛孔２ｃに貫入させて湾曲部２ａに引っ掛けた指により上方に力を加えることにより、容易にファスナ２００を閉めることができる。第５実施形態においては、先端部４３ｃが引張部２が位置する平面から離れた位置に突出しており、補助具４１を引手２２２に引っ掛けるときに孔部２２３に先端部４３ｃを容易に貫入させることができるので、さらに容易にブーツ１００を着用することができる。なお、引掛部の形状や、引張部２が位置する平面からの引掛部の先端部の突出方向は、これに限られるものではなく、他の形状、他の突出方向であっても、上記と同様に、容易に孔部２２３に引掛部を貫入させて引っ掛けることができる。
【００４０】
図８（ａ）、（ｂ）は、本発明の第６実施形態に係る補助具と、その補助具を取付けたストラップ（提げ紐）の一例を示す。先ず、図８（ａ）に示す補助具６１について説明する。
【００４１】
補助具６１は、第１実施形態に係る補助具１と比較し、引張部６２が小型に形成されている点が異なっている。引張部６２は、湾曲部６２ａと湾曲部６２ａよりも曲率が小さい支持部６２ｂとが接続されて輪形状に形成されている。引張部６２は、その湾曲部６２ａと支持部６２ｂとに囲まれた貫通孔６２ｃが、後述するようにストラップの紐部９１が貫通可能な程度の大きさになるように形成されている。引掛部３は、第１実施形態と同様に構成されており、第１腕部３ａと第２腕部３ｂとがそれぞれ支持部６２ｂの端部に接続されている。補助具６１は、外形が、補助具１よりも若干小さい略楕円形を成すように形成されている。
【００４２】
図８（ｂ）に示すように、補助具６１は、例えば、携帯機器等に取り付けられて用いられるストラップ９０の一部に取り付けられて用いられる。ストラップ９０は、輪状の紐部９１と、紐部９１の一部が取り付けられ保持されるホルダ９２と、ホルダ９２に取り付けられ、細い輪状に形成されており携帯機器等に結着される結着紐９３とを有している。補助具６１は、ストラップ９０のうち、紐部９１に取り付けられている。
【００４３】
図９は、ストラップ９０の構成を示す。図に示すように、ストラップ９０の紐部９１は、一本の紐部９１の両端部を共にホルダ９２に差し込んだ状態で、ねじ９４を、紐部の両端近傍部位に形成された孔部９１ａに螺入してホルダ９２に螺結することにより、輪状になるようにホルダ９２に取り付けられる。このとき、紐部９１を補助具６１の貫通孔６２ｃに貫通させたうえでホルダ９２に取り付けることにより、補助具６１を紐部９１に取り付けることができる。また、その逆の手順で紐部９１をホルダ９２から取り外すことにより、紐部９１から補助具６１を取り外すことができる。なお、ストラップは、ホルダ９２に紐部９１を着脱可能に構成されていなくてもよく、予め紐部９１を貫通孔６２ｃに貫通させた状態で、紐部９１の両端部をホルダ９２に接着又は溶着する等して構成されていてもよい。
【００４４】
このようなストラップ９０を用いることにより、着用者は、ブーツ１００を容易に着用することができる。すなわち、着用者は、ブーツ１００の着用時に、まず、補助具６１の引掛部３を、上述の第１実施形態と同様にファスナ２００の引手２２２に引っ掛ける。そして、その状態で、紐部９１等を掴んで上方へ引くことにより、紐部９１を引く力が紐部９１が貫通する引張部２に加えられ、補助具６１を介して引手２２２を上方へ引っ張ることができる。ストラップ９０を掴んでスライダ２２０をスライドさせる力を容易に加えることができるので、容易にファスナ２００を閉めることができ、ブーツ１００を容易に着用することができる。また、ストラップ９０は、例えば携帯機器等に取り付けて用いられるので、小型の補助具６１でも紛失を防止することができる。さらに、例えば日常持ち歩く携帯電話等と共に補助具６１を持ち歩くことができるので、補助具６１を持ち歩くことを特別に意識せずとも、どこでも補助具６１を利用して容易にブーツ１００を着用することができ、より便利に補助具６１を使用することができる。
【００４５】
なお、本発明は上記実施形態の構成に限定されるものではなく、発明の趣旨を変更しない範囲で適宜に種々の変形が可能である。例えば、補助具は、強度の大きい樹脂等により構成されていてもよい。また、補助具は、一体成型されたものでなくてもよく、例えば互いに別部材として構成された引張部と引掛部とを組み合わせて構成されていてもよい。
【００４６】
また、引張部は、輪状に形成されていなくてもよく、例えば、着用者が摘みやすいような平板形状等に形成されていてもよい。このような場合、着用者は、引張部を摘んで引っ張ることにより、補助具を介してスライダをスライドさせる力を容易に加えることができる。さらにまた、補助具は、例えば、いわゆるキーホルダの一部として用いられるものであってもよい。引掛部を引手に引っ掛けた状態で、引張部にチェーンなどを介して取り付けられた鍵等を引っ張ることにより、上述と同様に、容易にファスナ２００を閉めることができ、ブーツ１００を容易に着用することができる。
【図面の簡単な説明】
【００４７】
【図１】本発明に係るブーツ着用補助具を使用可能なロングブーツの一例を示す斜視図。
【図２】（ａ）は本発明の第１実施形態に係るブーツ着用補助具の一例を示す斜視図、（ｂ）は（ａ）の正面図、（ｃ）は（ａ）の側面図。
【図３】（ａ）は引手に引っ掛けた状態の上記ブーツ着用補助具を示す斜視図、（ｂ）は同ブーツ着用補助具の引張部を引っ張る動作を説明する斜視図。
【図４】本発明の第２実施形態に係るブーツ着用補助具の一例を示す斜視図。
【図５】（ａ）は本発明の第３実施形態に係るブーツ着用補助具の一例を示す平面図、（ｂ）は（ａ）の斜視図。
【図６】本発明の第４実施形態に係るブーツ着用補助具の一例を示す平面図。
【図７】（ａ）は本発明の第５実施形態に係るブーツ着用補助具の一例を示す平面図、（ｂ）は（ａ）を前方から見た斜視図、（ｃ）は（ａ）を側方から見た斜視図。
【図８】（ａ）は本発明の第６実施形態に係るブーツ着用補助具の一例を示す斜視図、（ｂ）は同ブーツ着用補助具が一部に取り付けられたストラップを示す斜視図。
【図９】上記ストラップの分解斜視図。
【符号の説明】
【００４８】
１，１１，２１，３１，４１，６１  ブーツ着用補助具
２，１２，３２，６２  引張部
３，２３，３３，４３  引掛部
３ａ  第１腕部
３ｂ  第２腕部
９０  ストラップ（提げ紐）
１００  ロングブーツ
１２０  脚部
２００  スライドファスナ
２２０  スライダ
２２２  引手
２２３  孔部
【図１】
2009089750.tif 000003
【図２】
2009089750.tif 000004
【図３】
2009089750.tif 000005
【図４】
2009089750.tif 000006
【図５】
2009089750.tif 000007
【図６】
2009089750.tif 000008
【図７】
2009089750.tif 000009
【図８】
2009089750.tif 000010
【図９】
2009089750.tif 000011